(57)【要約】【課題】ユーザが自動車を借りるサービスにおいて、自動車の利用料金を安くする広告システムを提供する。【解決手段】自動車に搭載される車載機を備えた広告システムであって、自動車は、利用料金を支払うユーザに貸し出されるものであり、車載機は、自動車の外に対して広告する広告部を備え、広告システムは、広告主である店舗の位置を基準とする店舗周辺エリアに自動車が位置していることに基づいて、店舗の店舗広告を広告部に広告させる広告制御部と、広告部が広告した旨を、外部に出力可能に記憶する広告記憶部３０３をさらに備え、広告記憶部が記憶した広告実績に基づいて求められる広告手数料を利用して自動車の利用料金を割り引きする。【選択図】図４
2018036777.tif 000002
【特許請求の範囲】
【請求項１】
自動車（１０）に搭載される車載機（１００、１００ａ、１００ｂ、１００ｃ）を備えた広告システム（１）であって、
前記自動車は、利用料金を支払うユーザに貸し出されるものであり、
前記車載機は、前記自動車の外に対して広告する広告部（１０３）を備え、
前記広告システムは、
広告主である店舗（２０）の位置を基準とする店舗周辺エリアに前記自動車が位置していることに基づいて、前記店舗の店舗広告を前記広告部に広告させる広告制御部（１０２、１０２ａ、１０２ｂ、３０２ｃ）と、
前記広告部が広告した広告実績を記憶する広告記憶部（１０９、３０３、３０３ｃ）とをさらに備え、
前記広告記憶部が記憶した前記広告実績に基づいて求められる広告手数料を利用して前記自動車の利用料金の割り引きを可能とする広告システム。
【請求項２】
請求項１において、
前記車載機と無線通信を行い、前記店舗広告を配信する配信装置（２００）をさらに備え、
前記店舗周辺エリアは、前記店舗周辺エリア内において前記車載機が前記配信装置との無線通信が可能なものであり、
前記車載機との間の無線通信によって、前記店舗広告を前記車載機に対して送信する広告送信部（２０４）を備え、
前記車載機は、
前記配信装置と無線通信することにより、前記店舗広告を受信する広告受信部（１０４）をさらに備え、
前記広告制御部は、前記広告受信部が前記店舗広告を受信することに基づいて、前記広告受信部が受信した前記店舗広告を前記広告部に広告させる広告システム。
【請求項３】
請求項２において、
前記配信装置は、前記店舗広告の広告主である前記店舗に設置される広告システム。
【請求項４】
請求項１において、
前記車載機は、
前記自動車の位置を取得する位置取得部（１０８）をさらに備え、
前記広告制御部（３０２ｃ）は、前記位置取得部が取得した前記自動車の位置が前記店舗周辺エリアである場合に、前記店舗広告を前記広告部に広告させる広告システム。
【請求項５】
請求項２において、
前記車載機は、
前記広告受信部が受信した前記店舗広告を記憶する広告内容記憶部（１０５）と、
前記広告内容記憶部に記憶された前記店舗広告の優先順を決定し、決定した前記優先順に基づいて前記店舗広告を前記広告部に広告させる優先順決定部（１０６）とをさらに備える広告システム。
【請求項６】
請求項５において、
前記広告送信部が送信する前記店舗広告は、前記店舗広告を広告することに対して前記店舗が支払う広告手数料の額に応じて決定された優先度が付加されており、
前記優先順決定部は、前記優先度に応じて前記優先順を決定する広告システム。
【請求項７】
請求項５において、
前記車載機は、
前記自動車の位置を逐次取得する位置取得部（１０８）をさらに備え、
前記広告内容記憶部は、前記店舗広告に、前記店舗の位置である店舗位置を含ませて記憶し、
前記優先順決定部は、位置取得部が取得する前記自動車の位置と、前記店舗位置との距離が短いほど、前記優先順が高くなるよう決定する広告システム。
【請求項８】
請求項１から７のいずれか１項において、
前記広告部は前記自動車の後方に向けて設けられたディスプレイであり、
前記車載機は、
前記自動車が減速している旨を検知する減速検知部（１１３）と、
前記減速検知部が、前記自動車が減速している旨を検知した場合に、前記自動車が減速している旨を前記広告部に表示させる減速報知部（１１４）とをさらに備える広告システム。
【請求項９】
請求項１において、
前記広告記憶部に記憶された前記広告実績に基づいて広告手数料を算出する手数料算出部（３０４）と、
前記手数料算出部が算出した広告手数料に基づいて、前記店舗に対して広告手数料を請求する手数料請求部（３０５）と、
前記手数料算出部が算出した広告手数料に基づいて、前記自動車の利用料金を割り引いて算出し、割り引きされた利用料金を請求する料金請求部（３０６）とをさらに備える広告システム。
【請求項１０】
請求項９において、
前記手数料算出部は、前記広告実績が示す前記広告部が広告を行った回数に応じて前記広告手数料を算出する広告システム。
【発明の詳細な説明】
【技術分野】
【０００１】
本発明は、自動車で用いられ、広告を行う車載機を備える広告システムに関する。
【背景技術】
【０００２】
特許文献１には、店舗に設置され、店舗の広告を配信する情報配信装置と、車両に搭載され、情報配信装置と無線通信を行う情報受信装置とを備える広告配信システムが開示されている。店舗の広告を受信した情報受信装置は、車両のユーザに対して店舗の広告を表示する。
【先行技術文献】
【特許文献】
【０００３】
【特許文献１】特開２０１６−２５４４８号公報
【発明の概要】
【発明が解決しようとする課題】
【０００４】
一方、レンタカーやカーシェアリングなど、利用料金を支払ったユーザに対して自動車を貸し出しするサービスが存在する。こうしたサービスにおいても、特許文献１に記載の広告配信システムを用いることが考えられる。しかし、こうしたサービスに特許文献１に記載の広告配信システムを用いても、ユーザが自動車を利用する際の料金は、広告を受信することによって安くならないという問題がある。
【０００５】
本発明は、この事情を鑑みて成されたものであり、その目的とするところは、ユーザが自動車を借りるサービスにおいて、自動車の利用料金を安くすることができる広告システムを提供することにある。
【課題を解決するための手段】
【０００６】
上記目的は独立請求項に記載の特徴の組み合わせにより達成され、また、下位請求項は、発明の更なる有利な具体例を規定する。特許請求の範囲に記載した括弧内の符号は、一つの態様として後述する実施形態に記載の具体的手段との対応関係を示すものであって、本発明の技術的範囲を限定するものではない。
【０００７】
上記目的を達成するための本発明は、自動車（１０）に搭載される車載機（１００、１００ａ、１００ｂ、１００ｃ）を備えた広告システム（１）であって、自動車は、利用料金を支払うユーザに貸し出されるものであり、車載機は、自動車の外に対して広告する広告部（１０３）を備え、広告システムは、広告主である店舗（２０）の位置を基準とする店舗周辺エリアに自動車が位置していることに基づいて、店舗の店舗広告を広告部に広告させる広告制御部（１０２、１０２ａ、１０２ｂ、３０２ｃ）と、広告部が広告した広告実績を記憶する広告記憶部（１０９、３０３、３０３ｃ）とをさらに備える。これにより、広告記憶部が記憶した広告実績に基づいて求められる広告手数料を利用して自動車の利用料金の割り引きが可能となる。たとえば、広告手数料を店舗に対して請求可能か否かを判断し、広告手数料を請求可能である場合には、請求した広告手数料を利用して自動車の利用料金から割り引きを行うことによって、ユーザが支払う自動車の利用料金を安くすることが可能となる。
【図面の簡単な説明】
【０００８】
【図１】第１の実施形態に係る広告システム１の概要を示す図である。
【図２】第１の実施形態に係る車載機１００の構成を示す図である。
【図３】第１の実施形態に係る配信装置２００の構成を示す図である。
【図４】第１の実施形態に係るセンタ装置３００の構成を示す図である。
【図５】第１の実施形態に係る配信装置２００の作動を示すフローチャートである。
【図６】第１の実施形態に係る車載機１００の作動を示すフローチャートである。
【図７】第１の実施形態に係る広告システム１の作動例を示す図である。
【図８】第１の実施形態に係る車載機１００を用いる自動車１０の利用状況の例を示す図である。
【図９】第２の実施形態に係る車載機１００ａの構成を示す図である。
【図１０】第２の実施形態に係る車載機１００ａの作動を示すフローチャートである。
【図１１】第３の実施形態に係る車載機１００ｂの構成を示す図である。
【図１２】第３の実施形態に係る車載機１００ｂの作動を示すフローチャートである。
【図１３】図１２におけるサブルーチンの作動を示すフローチャートである。
【図１４】第４の実施形態に係る車載機１００ｃの構成を示す図である。
【図１５】第４の実施形態に係るセンタ装置３００ｃの構成を示す図である。
【発明を実施するための形態】
【０００９】
＜第１実施形態＞
以下、本発明の第１実施形態としての広告システム１を図面に基づいて説明する。広告システム１の構成及び詳細な説明に入る前に、広告システム１の作動概略を図１に沿って説明する。広告システム１は、カーシェアリングサービスで用いられる自動車１０に搭載された車載機１００と、店舗２０で用いられる配信装置２００と、センタ装置３００とを備える。
【００１０】
なお、カーシェアリングサービスとは、あらかじめサービスに登録したユーザが、自動車１０を１５分や３０分といった時間単位で利用可能な車両の貸し出しサービスである。また、配信装置２００が店舗２０で用いられるとは、自動車１０に搭載された車載機１００が、店舗２０周辺の道路上において、配信装置２００と無線通信が可能となるように配信装置２００が設置されていることを示す。例えば、店舗２０の外壁に配信装置２００を取り付けてもよいし、店舗２０の内部に設けてもよい。なお、配信装置２００から配信される店舗広告に関する内容は、例えば、店舗２０に設置されているパソコンなどにより指定、変更できるように構成されている。
【００１１】
車載機１００は、配信装置２００との間で無線通信を行い、配信装置２００が送信する、店舗２０の店舗広告を受信する。車載機１００は店舗広告を受信すると、自動車１０の車外に対して受信した店舗広告を広告する。
【００１２】
配信装置２００は、車載機１００との間で無線通信を行い、店舗広告を送信する。より詳しくは、配信装置２００は、車載機１００に対して店舗広告を送信し、車載機１００が送信する、店舗広告を受信した旨の信号を受信すると、車載機１００に対して店舗広告の送信が完了した旨をセンタ装置３００に通知する。
【００１３】
センタ装置３００は、カーシェアリングサービスを管理するサーバ装置であり、ユーザが自動車１０を利用した時間帯を記憶している。本実施形態では、ユーザが自動車１０を利用した時間帯と、配信装置２００が店舗広告の送信を完了したことを示す送信完了情報とに基づいて、車載機１００が店舗広告を広告したことによる広告手数料と、ユーザが自動車１０を利用することに対して支払う、広告手数料に基づいて割り引きされた利用料金との算出を行う。さらに、店舗２０およびユーザに対して、広告手数料および割り引きされた利用料金の請求を行う。具体的には、銀行４０が備えるサーバに対して、銀行４０に開設された店舗２０およびユーザの口座から、銀行４０に開設された広告システム１の口座に広告手数料および割り引きされた利用料金を口座振替するよう要求する。銀行４０が備えるサーバは、口座ごとに、預金額の管理などをするサーバである。なお、以下、説明の便宜上、銀行４０が備えるサーバを、単に銀行４０とする。
【００１４】
また、センタ装置３００は、ユーザがインターネット回線などの公衆回線を通じて送信する自動車１０の利用の予約を受け付ける処理を行う。さらに、予約したユーザが所持する、ユーザを特定するＩＣカードを、自動車１０に設けられた読取装置が読み取った場合に自動車１０のドアロックを開錠し、予約したユーザが自動車１０を利用可能な状態にする処理を行う。予約を受け付ける処理、およびドアロックを開錠し自動車１０を利用可能な状態にする処理は周知の技術であるため、これ以上の説明を省略する。
【００１５】
［車載機１００の構成］
図２を用いて車載機１００の構成を説明する。車載機１００は、車載機側通信部１０１と、車載機制御部１０２と、広告部１０３と、ＧＮＳＳ受信機１０７とを備える。車載機側通信部１０１は、配信装置２００と近距離無線通信を行う無線通信機であり、例えばＷｉＦｉ（登録商標）などの通信規格に基づく通信を行うものである。
【００１６】
ＧＮＳＳ受信機１０７は、ＧＮＳＳ（Global Navigation Satellite System）を構成する測位衛星から送信された測位信号を受信し、当該ＧＮＳＳ受信機１０７の位置を測位するために用いられる受信機である。
【００１７】
車載機制御部１０２は、ＣＰＵ、ＲＯＭ、ＲＡＭ等よりなるマイクロコンピュータを主体として構成されており、ＣＰＵが、ＲＡＭの一時記憶機能を利用しつつ、ＲＯＭなどの非遷移的実体的記録媒体(non-transitory tangible storage medium)に記憶されているプログラムを実行することで、広告受信部１０４、広告内容記憶部１０５、優先順決定部１０６、位置取得部１０８としての作動を行う。なお、車載機制御部１０２が実行する機能の一部または全部を、一つあるいは複数のＩＣ等によりハードウェア的に構成してもよい。また、車載機制御部１０２が備えるＲＯＭには、あらかじめ自動車１０を特定する車両ＩＤが記憶されている。
【００１８】
広告受信部１０４は、車載機側通信部１０１と配信装置２００との通信により配信装置２００が送信する店舗広告を受信し、その受信した店舗広告を広告することを決定すると、車載機側通信部１０１に、広告することを決定した店舗広告に含まれる店舗を特定する情報と、車両ＩＤとを配信装置２００に対して送信させる。広告内容記憶部１０５は、車載機制御部１０２が備えるＲＯＭに、広告受信部１０４が受信した店舗広告を記憶させる。
【００１９】
位置取得部１０８は、ＧＮＳＳ受信機１０７が受信する測位信号に基づいて、自動車１０の位置を逐次取得する。優先順決定部１０６は、広告受信部１０４が複数の店舗広告を受信した場合に、店舗広告の優先順を決定し、優先順が最も高い店舗広告を広告部１０３に広告させる。本実施形態における優先順は、後述する、店舗２０の位置である店舗位置が、位置取得部１０８が取得した自動車１０の位置に近いほど、店舗２０の店舗広告の優先順が高くなるように決定する。
【００２０】
広告部１０３は、優先順決定部１０６が決定した最も高い優先順の店舗広告を自動車１０の外に対して広告する装置であり、例えば、車両の外に向けたディスプレイを用いることができる。その他の例として、例えば自動車１０の外に向けられたスピーカを広告部１０３として用いても良い。
【００２１】
［配信装置２００の構成］
図３を用いて配信装置２００の構成を説明する。配信装置２００は、配信装置側通信部２０１と、配信装置制御部２０２と、広域送信部２０３とを備えて構成される。配信装置側通信部２０１は、車載機１００と近距離無線通信を行う無線通信機である。車載機側通信部１０１と配信装置側通信部２０１とは、それぞれ車載機１００が配信装置２００から例えば２０〜５０ｍ離れた位置で通信可能となる。この通信可能となる範囲が請求項の店舗周辺エリアに相当する。
【００２２】
配信装置制御部２０２は、ＣＰＵ、ＲＯＭ、ＲＡＭ等よりなるマイクロコンピュータを主体として構成されており、ＣＰＵが、ＲＡＭの一時記憶機能を利用しつつ、ＲＯＭなどの非遷移的実体的記録媒体に記憶されているプログラムを実行することで、広告送信部２０４と、送信完了通知部２０５としての作動を行う。なお、配信装置制御部２０２が実行する機能の一部または全部を、一つあるいは複数のＩＣ等によりハードウェア的に構成してもよい。なお、配信装置制御部２０２が備えるＲＯＭには、配信装置２００を用いる店舗２０を特定する店舗ＩＤと、配信装置２００が配信する、店舗２０の位置を含ませた店舗広告とが予め記憶されている。
【００２３】
広告送信部２０４は、配信装置側通信部２０１に、店舗広告を車載機１００に対して送信させる。この店舗広告には、店舗を特定する情報として店舗ＩＤ及び／又は店舗位置が含まれている。送信完了通知部２０５は、配信装置側通信部２０１が、店舗広告を受信した車載機１００が送信する店舗特定情報と車両ＩＤとを受信した場合、広告送信部２０４が車載機１００と通信し、店舗広告の送信を完了したとみなして、広域送信部２０３に、店舗広告の送信が完了したことを示す送信完了通知をセンタ装置３００に送信させる。広域送信部２０３は、基地局を介した広域通信回線に接続し、広域通信回線を通じてデータを送信する無線通信装置である。具体的には、送信完了通知部２０５は、送信完了通知として、車載機１００から受信した車両ＩＤと、配信装置制御部２０２が備えるＲＯＭに記憶された店舗ＩＤとをセンタ装置３００に送信する。これにより、送信完了通知部２０５は、店舗ＩＤが特定する店舗２０で用いられる配信装置２００から、車両ＩＤが特定する自動車１０に搭載された車載機１００に店舗広告が送信された旨を通知する。
【００２４】
［センタ装置３００の構成］
図４を用いてセンタ装置３００の構成を説明する。センタ装置３００は、一つまたは複数のサーバ装置を用いて実現され、広域通信部３０１と、センタ演算部３０２とを備える。広域通信部３０１は、広域通信回線に接続してデータの送受信を行う通信装置であり、本実施形態では配信装置２００の広域送信部２０３が送信する車両ＩＤおよび店舗ＩＤを受信する。
【００２５】
センタ演算部３０２は、ＣＰＵ、ＲＡＭ、ＲＯＭ、Ｉ／Ｏ、及びこれらの構成を接続するバスラインなどを備えた通常のコンピュータとして構成されている。センタ演算部３０２は、ＣＰＵが、ＲＡＭの一時記憶機能を利用しつつ、ＲＯＭなどの非遷移的実体的記録媒体に記憶されているプログラムを実行することで、広告記憶部３０３と、手数料算出部３０４と、手数料請求部３０５と、料金請求部３０６としての作動を行う。なお、センタ演算部３０２が備えるＲＯＭには、ユーザが自動車１０を利用した時間帯のリストが記憶されている。具体的には、自動車１０を特定するＩＤと、自動車１０を利用したユーザを特定するユーザＩＤとが、利用時間単位ごとに対応付けて記憶されている。
【００２６】
広告記憶部３０３は、配信装置２００の送信完了通知部２０５によって送信される送信完了通知に基づき、配信装置２００から車載機１００への店舗広告の送信が完了したことを示す送信完了情報を記憶する。本実施形態では、送信完了情報として、広域通信部３０１が受信した、車両ＩＤおよび店舗ＩＤを対応づけて記憶する。これにより、車両ＩＤが特定する車載機１００と、店舗ＩＤが特定する店舗で用いられる配信装置２００とが通信を行い、配信装置２００が車載機１００に店舗広告を送信し、車載機１００が、受信した店舗広告を広告した広告実績を把握することができる。
【００２７】
手数料算出部３０４は、広告記憶部３０３に記憶された送信完了情報に基づいて、車載機１００が店舗広告を広告したことに対して店舗２０が支払う広告手数料を算出する。
【００２８】
手数料請求部３０５は、手数料算出部３０４が算出した広告手数料に基づいて、店舗２０に広告手数料を請求する。具体的には、銀行４０に対して、店舗２０の口座から広告システム１の口座に広告手数料を口座振替するよう要求する。料金請求部３０６は、ユーザが自動車１０を利用したことによる利用料金から、手数料算出部３０４が算出した広告手数料に基づいて割り引きを行い、割り引きした利用料金をユーザに対して請求する。具体的には、銀行４０に対して、ユーザの口座から広告システム１の口座に、割り引きした利用料金を口座振替するよう要求する。手数料算出部３０４、手数料請求部３０５、および料金請求部３０６の詳細な作動は図７を用いて後述する。
【００２９】
［配信装置２００の作動］
配信装置２００の作動を図５のフローチャートに沿って説明する。配信装置制御部２０２は、配信装置制御部２０２が備えるＲＯＭに店舗広告と店舗ＩＤとを記憶されると、図５に示す処理をステップＳ１（以下、ステップを省略）から順に周期的に実行する。実行する周期は、例えば１００ミリ秒間隔とすればよい。
【００３０】
Ｓ１では、配信装置側通信部２０１に、配信装置制御部２０２が備えるＲＯＭに記憶された店舗広告を送信させる。Ｓ２では、配信装置側通信部２０１が、車載機１００が送信する、Ｓ１で送信した店舗広告を特定する店舗特定情報及び車両ＩＤを受信したか否かを判断する。受信したと判断した場合はＳ３の処理に進み、受信していないと判断した場合は図５に示す処理を終了する。上述したＳ１及びＳ２の処理が、図３の広告送信部２０４に相当する。Ｓ３では、広域送信部２０３に、Ｓ２の処理で受信した車両ＩＤと、配信装置制御部２０２が備えるＲＯＭに記憶された店舗ＩＤとをセンタ装置３００に対して送信させる。このＳ３の処理が、図３の送信完了通知部２０５に相当する。
【００３１】
［車載機１００の作動］
車載機１００の作動を図６のフローチャートに沿って説明する。車載機制御部１０２は、自動車１０のイグニッションスイッチがＯＮになると、図６に示す処理をＳ１１から順に周期的に実行する。例えば、図６に示す処理が終了してから１００ミリ秒経過すると、図６の処理を再び開始する。
【００３２】
Ｓ１１では、店舗広告を受信したか否かを判断する。受信したと判断した場合はＳ１２の処理に進み、受信していないと判断した場合はＳ１４の処理に進む。Ｓ１１の処理は、広告受信部１０４としての処理である。Ｓ１２では、Ｓ１１の処理で受信した店舗広告を、車載機制御部１０２が備えるＲＯＭに記憶させる。Ｓ１２の処理は、広告内容記憶部１０５としての処理である。
【００３３】
Ｓ１３では、受信期間が終了したか否かを判断する。受信期間は、車載機１００が、店舗広告の受信を行う期間であり、例えば図６に示す処理を開始してから２０秒とすればよい。受信期間が終了したと判断した場合はＳ１４に進み、終了していないと判断した場合は再びＳ１１の処理を行う。
【００３４】
Ｓ１４の処理では、直近の受信期間の間に、広告受信部１０４が店舗広告を受信したか否かを判断する。店舗広告を受信したと判断した場合は、Ｓ１５の処理に進み、受信していないと判断した場合は図６に示す処理を終了する。
【００３５】
Ｓ１５の処理では、直近の受信期間の間に、広告受信部１０４が受信した店舗広告の優先順を決定する。優先順は、店舗広告に含まれた店舗位置が、Ｓ１５の処理を行う時点に位置取得部１０８が取得する位置に近いほど高くなるように決定する。Ｓ１５の処理は、優先順決定部１０６としての処理である。Ｓ１６では、Ｓ１５の処理で決定した優先順が最も高い店舗広告を、広告部１０３に表示させる。なお、直近の受信期間に受信した店舗広告が一つである場合は、その店舗広告を広告部１０３に表示させればよい。
【００３６】
Ｓ１７では、車載機側通信部１０１に、車載機制御部１０２に記憶された車両ＩＤ及び店舗特定情報を配信装置２００に対して送信させる。Ｓ１７の処理は、広告受信部１０４としての処理である。
【００３７】
Ｓ１８では、広告部１０３に表示している店舗広告の表示期間が終了したか否かを判断する。表示期間は、自動車１０が店舗２０から所定距離（例えば２ｋｍ〜３ｋｍ程度）離れた場合に店舗広告の表示を終了するように決定される。もしくは、Ｓ１６の処理で店舗広告の表示を開始してから所定時間（例えば５分間）経過したときに店舗広告の表示を終了するようにしてもよい。表示期間が終了したと判断した場合はＳ１９の処理に進み、終了していないと判断した場合は再びＳ１８の処理を行う。Ｓ１９では、広告部１０３に表示している店舗広告の表示を終了し、図６に示す処理を終了する。
【００３８】
以上の処理により、車載機制御部１０２は、店舗２０で用いられる配信装置２００との通信を行った場合に店舗広告を広告部１０３に広告させる。すなわち、店舗２０からの距離が２０〜５０ｍ以内となる店舗周辺エリアに自動車１０が位置している場合に店舗広告を広告部１０３に広告させる。従って、車載機制御部１０２は、請求項の広告制御部としての機能を備える。
【００３９】
［配信および広告のシーケンス］
配信装置２００から車載機１００に広告が配信され、車載機１００が広告を行うシーケンスを図７に沿って説明する。図７に示す例では、店舗広告を受信していない状態の車載機１００が、第１の配信装置２００である配信装置２００ａと、第２の配信装置２００である配信装置２００ｂが配信する広告を順に受信した場合を説明する。なお、店舗広告の表示期間は、店舗広告を広告部１０３に表示を開始した時刻から５分間とする。
【００４０】
車載機１００が、時刻ｔ１で、図６に示す処理を開始することにより、受信期間が開始する。時刻ｔ２で、配信装置２００ａが送信する店舗広告を受信したことによりＳ１１の判断がＹＥＳとなり、Ｓ１２の処理が行われる。これにより、車載機１００は受信した店舗広告を車載機制御部１０２が備えるＲＯＭに記憶する。
【００４１】
時刻ｔ１に開始した受信期間が終了していない時刻ｔ３に、車載機１００が配信装置２００ｂが送信する店舗広告を受信すると、Ｓ１１の判断がＹＥＳとなり、Ｓ１２の処理が行われる。これにより、車載機１００は受信した店舗広告を車載機制御部１０２が備えるＲＯＭに記憶する。
【００４２】
時刻ｔ１に開始した受信期間が時刻ｔ４に終了すると、Ｓ１３の判断がＹＥＳとなることによりＳ１４の判断が行われ、時刻ｔ２および時刻ｔ３に店舗広告を受信していることによりＳ１４の判断がＹＥＳとなる。これにより、続けてＳ１５の処理が行われ、店舗広告の優先順が決定される。図７に示す例では、配信装置２００ｂが配信する店舗広告に含まれる店舗位置が、配信装置２００ａが配信する店舗広告に含まれる店舗位置よりも、位置取得部１０８が取得する自動車１０の位置に近いとする。すなわち、配信装置２００ｂが配信する店舗広告が、配信装置２００ａが配信する店舗広告よりも優先順が高くなるよう優先順が決定される。続けて時刻ｔ５に、Ｓ１６の処理により、Ｓ１５の処理で最も優先順が高いとされた配信装置２００ｂが配信する店舗広告を、広告部１０３に表示させる。
【００４３】
時刻ｔ６に、Ｓ１７の処理を行い、配信装置２００ｂに対して店舗特定情報及び車両ＩＤを送信する。配信装置２００ｂは、自身が送信した店舗広告を特定する店舗特定情報を受信することにより、送信した店舗広告が行われたことを把握することができる。
【００４４】
車載機１００が時刻ｔ６のときに送信した車両ＩＤを配信装置２００ｂが受信すると、Ｓ２の判断がＹＥＳとなり、時刻ｔ７でＳ３の処理が行われる。これにより、時刻ｔ６のときに受信した車両ＩＤと、店舗ＩＤとが、送信完了通知として、センタ装置３００に送信される。
【００４５】
時刻ｔ８に、時刻ｔ５から５分が経過し、広告部１０３に表示している店舗広告の表示期間が終了する。これにより、Ｓ１８の判断がＹＥＳとなり、Ｓ１９の処理によって広告部１０３に表示している店舗広告の表示を終了する。
【００４６】
［広告手数料と利用料金の請求例］
手数料算出部３０４、手数料請求部３０５、および料金請求部３０６の作動を、図８に示す自動車１０の利用例に沿って説明する。第１のユーザが時刻ｔ１１から時刻ｔ１４まで自動車１０を利用し、第２のユーザが時刻ｔ１５から時刻ｔ２０まで自動車１０を利用していた旨が、センタ演算部３０２が備えるＲＯＭに記憶されているとする。また、車載機１００が、時刻ｔ１２および時刻ｔ１６において、第１の店舗が広告主である第１の店舗広告を受信し、時刻ｔ１８において、第２の店舗が広告主である第２の店舗広告を受信した旨が広告記憶部３０３によってセンタ演算部３０２が備えるＲＯＭに記憶されているとする。
【００４７】
この場合における、手数料算出部３０４が算出する広告手数料を説明する。時刻ｔ１１から時刻ｔ１２の間において、第１のユーザが自動車１０を利用しているが、車載機１００は広告を行っていない。従って、この期間に広告手数料の支払いは発生しない。
【００４８】
時刻ｔ１２に車載機１００が第１の店舗広告の表示を開始し、時刻ｔ１３に第１の店舗広告の表示期間が終了するまでの間、車載機１００は第１の店舗広告を表示する。従って、第１の店舗は、第１のユーザに対して時刻ｔ１２から時刻ｔ１３の期間分広告手数料を支払うこととなる。なお、期間分の広告手数料は、店舗２０が、広告システム１に広告の依頼を行った際の契約に基づいて決定される。例えば、契約に基づいた単位時間あたりの広告手数料に、広告を行った期間を乗算して決定すればよい。あるいは、契約に基づいた、広告を受信して所定の表示期間の間広告を表示するごとの広告手数料を、時刻ｔ１２から時刻ｔ１３の期間分の広告手数料として決定するとしてもよい。
【００４９】
時刻ｔ１５から時刻ｔ１６の間、時刻ｔ１７から時刻ｔ１８の間、および時刻ｔ１９から時刻ｔ２０の間において、第２のユーザが自動車１０を利用しているが、車載機１００は広告を行っていない。従って、この期間に広告手数料のやりとりは発生しない。時刻ｔ１６に車載機１００が第１の店舗広告の表示を開始し、時刻ｔ１７に第１の店舗広告の表示期間が終了するまでの間、車載機１００は第１の店舗広告を表示する。従って、第１の店舗は、第２のユーザに対して時刻ｔ１６から時刻ｔ１７の期間分広告手数料を支払うこととなる。
【００５０】
時刻ｔ１８に車載機１００が第２の店舗広告の表示を開始し、時刻ｔ１９に第２の店舗広告の表示期間が終了するまでの間、車載機１００は第２の店舗広告を表示する。従って、第２の店舗は、第２のユーザに対して時刻ｔ１８から時刻ｔ１９の期間分広告手数料を支払うこととなる。
【００５１】
次に、手数料請求部３０５が第１の店舗および第２の店舗に対して請求する広告手数料について説明する。図８に示した利用例の期間において、自動車１０は、時刻ｔ１２から時刻ｔ１３の期間と、時刻ｔ１６から時刻ｔ１７の期間に第１の店舗広告を表示していた。従って、手数料請求部３０５は、第１の店舗に対して時刻ｔ１２から時刻ｔ１３の期間分と、時刻ｔ１６から時刻ｔ１７の期間分を合算した広告手数料を第１の店舗に請求する。
【００５２】
また、図８に示した利用例の期間において、自動車１０は、時刻ｔ１８から時刻ｔ１９の期間に第２の店舗広告を表示していた。従って、手数料請求部３０５は、時刻ｔ１８から時刻ｔ１９の期間分の広告手数料を第２の店舗に請求する。
【００５３】
次に、料金請求部３０６が第１のユーザおよび第２のユーザに対して請求する利用料金について説明する。第１のユーザは時刻ｔ１１から時刻ｔ１４の期間に自動車１０を利用しており、この期間のうち時刻ｔ１２から時刻ｔ１３の期間に車載機１００は広告を表示していた。従って、時刻ｔ１２から時刻ｔ１３の期間の広告手数料に基づいて利用料金から割り引く額が決定される。割り引く額は、例えば広告手数料から広告システム１の維持費等を差し引いて決定すればよい。第１のユーザに請求される利用料金は、時刻ｔ１１から時刻ｔ１４の期間分の利用料金から、時刻ｔ１２から時刻ｔ１３の期間の広告手数料に基づいて決定された割り引く額を差し引いた額となる。
【００５４】
また、第２のユーザは時刻ｔ１５から時刻ｔ１８の期間に自動車１０を利用しており、この期間のうち時刻ｔ１６から時刻ｔ１７および時刻ｔ１８から時刻ｔ１９の期間に車載機１００は広告を表示していた。従って、時刻ｔ１６から時刻ｔ１７の期間に第１の店舗広告を表示していたことによる広告手数料と、時刻ｔ１８から時刻ｔ１９の期間に第２の店舗広告を表示していたことによる広告手数料とに基づいて利用料金から割り引く額が決定される。第２のユーザに請求される利用料金は、時刻ｔ１５から時刻ｔ２０の期間分の利用料金から、時刻ｔ１６から時刻ｔ１７および時刻ｔ１８から時刻ｔ１９の期間の広告手数料に基づいて決定された割り引く額を差し引いた額となる。
【００５５】
以上、説明した第１実施形態によれば、自動車１０が店舗２０に接近し、車載機側通信部１０１が、配信装置側通信部２０１が送信する店舗広告を受信すると、優先順決定部１０６が、受信した店舗広告を広告部１０３に表示させる。また、店舗広告を受信した時刻に基づいて定まる表示期間が終了すると、広告部１０３に表示している店舗広告の表示を終了する。
【００５６】
従って、自動車１０が店舗２０に接近した場合に、広告部１０３が、店舗２０で用いられる配信装置２００から受信した店舗広告の表示を開始し、表示期間が終了すると表示を終了することとなる。すなわち、車載機１００は、配信装置２００との無線通信が可能となる店舗周辺エリアに位置している場合に、店舗２０で用いられる配信装置２００から受信した、店舗２０が広告主である店舗広告を広告部１０３に表示し、自動車１０の外に対して広告を行うことが可能となる。
【００５７】
また、広告記憶部３０３が、車載機側通信部１０１と配信装置側通信部２０１とが通信を行った旨を記憶している。これにより、手数料算出部３０４としての処理によって、店舗２０が、自動車１０を利用することにより広告を行ったユーザに対して支払う広告手数料を算出することが可能となる。
【００５８】
よって、手数料請求部３０５が、手数料算出部３０４が算出した広告手数料に基づいて店舗２０に広告手数料を請求し、料金請求部３０６が、手数料算出部３０４が算出した広告手数料に基づいて割り引きを行った利用料金をユーザに請求することが可能となる。従って、ユーザが自動車１０を利用する際の利用料金を安くすることが可能となる。
【００５９】
＜第２実施形態＞
次に、第２実施形態を説明する。この第２実施形態以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００６０】
図９を用いて、第２実施形態における車載機１００ａの構成を説明する。車載機１００ａは、第１実施形態における車載機１００の構成に加えて、車載機側広域通信部１１１を備える。また、車載機１００ａが備える車載機制御部１０２ａは、第１実施形態における車載機制御部１０２の機能に加えて、車載機側広告記憶部１０９と、広告通知部１１０としての機能を備える。
【００６１】
車載機側広域通信部１１１は、基地局を介した広域通信回線に接続し、広域通信回線を通じてデータを送受信する無線通信装置である。車載機側広告記憶部１０９は、車載機１００が店舗広告を広告した広告実績を、車載機制御部１０２ａが備えるＲＯＭに記憶する。なお、広告実績の記憶は、広告した店舗広告を示す情報に、広告を開始した時刻と終了した時刻とを関連付けて記憶させることによって行えばよい。
【００６２】
広告通知部１１０は、車載機側広域通信部１１１に、車載機側広告記憶部１０９によって車載機制御部１０２ａが備えるＲＯＭに記憶された広告実績をセンタ装置３００に送信させる。広告実績は、自動車１０のイグニッションスイッチがオフになった際に、イグニッションスイッチがオンになってからの広告実績を一括で送信すればよい。その他の例として、広告部１０３に表示する店舗広告が更新される、もしくは店舗広告の表示が終了するごとに送信するとしてもよい。
【００６３】
第２実施形態における車載機１００ａの作動を図１０のフローチャートに沿って説明する。図１０に示す処理は、第１実施形態における図６に示した処理に代わって実行される処理である。
【００６４】
Ｓ１１の処理、およびＳ１２の処理は、図６のフローチャートに示す処理と同一である。本実施形態では、Ｓ１１の判断がＮＯとなった場合、およびＳ１２の処理が終了した場合にＳ２３の処理に進む。
【００６５】
Ｓ２３の処理では、車載機制御部１０２ａが備えるＲＯＭに記憶された店舗広告に含まれる店舗位置と、Ｓ２３の処理を実行する時点で位置取得部１０８が取得した自動車１０の位置との距離に基づいて、店舗広告の優先順を決定する。具体的には、自動車１０の位置との距離が短い位置を含む店舗広告ほど優先順が高くなるように優先順を決定する。なお、店舗広告の表示期間を定め、表示期間が終了した店舗広告については、優先順を決定する対象から除外してもよい。例えば、店舗広告に含まれる店舗位置と、自動車１０の位置との距離が３ｋｍ以上となった場合に、その店舗広告の表示期間が終了したとして優先順を決定する対象から除外すればよい。
【００６６】
Ｓ２４の処理では、広告部１０３に表示させる店舗広告を、Ｓ２６の処理で決定した優先順が最も高い店舗広告に更新し、図１０に示す処理を終了する。なお、優先順を決定された店舗広告がない場合には広告部１０３に店舗広告の表示を開始せず、さらに表示していた店舗広告がある場合はその店舗広告の表示も終了する。Ｓ２６およびＳ２７の処理は、優先順決定部１０６としての処理である。
【００６７】
以上の処理により、車載機制御部１０２ａは、店舗２０で用いられる配信装置２００との通信を行った場合、および店舗広告に含まれる店舗位置が自動車１０の位置に最も近くなった場合に、店舗広告を広告部１０３に広告させる。従って、車載機制御部１０２ａは、第１実施形態と同様に請求項の広告制御部としての機能を備える。
【００６８】
以上、説明した第２実施形態によれば、優先順決定部１０６は、位置取得部１０８が取得した自動車１０の位置と、広告内容記憶部１０５によって車載機制御部１０２ａが備えるＲＯＭに記憶された店舗広告に含まれる店舗位置との距離が短いほど優先順が高くなるよう優先順を決定する。すなわち、受信した店舗広告の中で、自動車１０の位置から最も近い店舗２０で用いられる配信装置２００から受信した店舗広告を広告部１０３に表示する。これにより、優先順を決定せず、店舗広告を受信した場合に受信した店舗広告を広告部１０３に表示させる場合と比較して、店舗広告の表示を随時更新し、自動車１０の位置と関連性の高い店舗広告を広告部１０３に表示させることが可能となる。
【００６９】
さらに、随時更新して表示した店舗広告を、車載機側広告記憶部１０９が広告実績として記憶し、広告通知部１１０が、車載機側広域通信部１１１に広告実績をセンタ装置３００に対して送信させる。これにより、手数料算出部３０４が、広告部１０３が広告したことによる広告手数料を算出することが可能となるため、第１実施形態と同様に、ユーザが自動車１０を利用する際の利用料金を安くすることが可能となる。
【００７０】
＜第３実施形態＞
次に、第３実施形態を説明する。第３実施形態における車載機１００ｂは、自動車１０が減速している場合に、広告部１０３に自動車１０が減速している旨を表示することで注意を促す。
【００７１】
車載機１００ｂの構成を図１１に沿って説明する。車載機１００ｂは、第１実施形態における車載機１００の構成に加えて加速度センサ１１２を備える。また、本実施形態における広告部１０３はディスプレイであり、自動車１０の後方に表示面を向けて設けられ、自動車１０の後方を走行する車両から視認が可能となっている。また、車載機１００ｂが備える車載機制御部１０２ｂは、第１実施形態における車載機制御部１０２の機能に加えて、減速検知部１１３と、減速報知部１１４としての機能とを備える。
【００７２】
加速度センサ１１２は、自動車１０の前後方向の加速度を検知するセンサである。減速検知部１１３は、自動車１０が減速しているか否かを判断する。具体的には、加速度センサ１１２で検知した自動車１０の後方向の加速度が、あらかじめ定めた閾値以上となった場合に減速していると判断する。減速報知部１１４は、減速検知部１１３が、自動車１０が減速していると判断した場合に、広告部１０３に、自動車１０が減速している旨を表示させる。これにより、自動車１０の後方を走行する車両に対して、自動車１０が減速している旨を報知する。
【００７３】
第３実施形態における車載機１００ｂの作動を図１２のフローチャートに沿って説明する。図１２に示す処理は、第１実施形態における図６に示した処理に代わって実行される処理であり、Ｓ１１からＳ１９の処理は、図６のフローチャートに示す処理と同一である。従って、車載機制御部１０２ｂは、第１実施形態と同様に請求項の広告制御部としての機能を備える。
【００７４】
本実施形態では、Ｓ１２の処理が終了した場合、およびＳ１１の処理における判断がＮＯとなった場合にＳ３１の処理に進み、Ｓ３１の処理が終了するとＳ１３の処理に進む。また、Ｓ１７の処理が終了した場合、およびＳ１８の処理における判断がＮＯとなった場合に、Ｓ３１ａの処理に進み、Ｓ３１ａの処理が終了するとＳ１８の処理に進む。
【００７５】
Ｓ３１およびＳ３１ａの処理について図１３を用いて説明する。Ｓ３１およびＳ３１ａは互いに同一の処理であり、自動車１０の減速を検知し、減速を検知した場合に減速した旨を報知するためのサブルーチンである。
【００７６】
Ｓ３１およびＳ３１ａでは、まずＳ３１１の処理が行われる。Ｓ３１１では、加速度センサ１１２で検知した自動車１０の後方向の加速度が、あらかじめ定めた閾値以上となったか否かを判断する。閾値以上となったと判断した場合はＳ３１２の処理に進み、閾値以上ではないと判断した場合は図１３に示すサブルーチンの処理を終了する。Ｓ３１１の処理は減速検知部１１３としての処理である。Ｓ３１２では、広告部１０３に、自動車１０が減速している旨を所定の時間表示させ、図１３に示すサブルーチンの処理を終了する。所定の時間は、自動車１０の後方の車両から、自動車１０が減速している旨の表示が視認可能となるように決定され、例えば３秒程度とすればよい。Ｓ３１２の処理は、減速報知部１１４としての処理である。
【００７７】
図１３に示すサブルーチンの処理は、図１２の処理が開始されてから、Ｓ１３の判断がＹＥＳとなるまでと、Ｓ１６およびＳ１７の処理が終了してから、Ｓ１８の判断がＹＥＳとなるまで繰り返し行われる。すなわち、自動車１０の減速を検知し、減速を検知した場合に減速した旨を報知するためのサブルーチンが、受信期間および表示期間に繰り返し行われる。
【００７８】
以上、説明した第３実施形態によれば、第１実施形態と同様に、自動車１０の外に対して広告を行い、ユーザが自動車１０を利用する際の利用料金を安くすることが可能となる。また、減速検知部１１３が、自動車１０が減速している旨を検知し、減速報知部１１４が、自動車１０が減速している旨を、自動車１０の後方に向けて設けられた広告部１０３に、表示させる。これにより、自動車１０の後方を走行する車両から、自動車１０の減速を容易に判断することが可能となる。
【００７９】
＜第４実施形態＞
次に、第４実施形態を説明する。第４実施形態における広告システムは、店舗２０で配信装置２００を用いず、センタ装置３００ｃが店舗広告を配信する。
【００８０】
車載機１００ｃの構成を図１４に沿って説明する。第４実施形態における車載機１００ｃは、車載機制御部１０２ｃと、広告部１０３と、ＧＮＳＳ受信機１０７と、車載機側広域通信部１１１とを備えて構成される。また、車載機制御部１０２ｃは、広告受信部１０４ｃと、位置取得部１０８と、位置送信部１１５としての機能を備える。
【００８１】
位置送信部１１５は、車載機側広域通信部１１１に、位置取得部１０８が取得する自動車１０の位置をセンタ装置３００ｃに対して周期的に送信させる。広告受信部１０４ｃは、センタ装置３００ｃが送信した店舗広告を車載機側広域通信部１１１が受信すると、受信した店舗広告を広告部１０３に表示させる。また、センタ装置３００ｃが送信した、自動車１０の位置が店舗周辺エリアでない旨の信号を受信した場合、店舗広告を広告部１０３に表示させていれば店舗広告の表示を終了させる。
【００８２】
センタ装置３００ｃの構成を図１５に沿って説明する。第４実施形態におけるセンタ装置３００ｃが備えるセンタ演算部３０２ｃは、第１実施形態におけるセンタ演算部３０２が備える機能に加えて、位置受信部３０７と、センタ広告送信部３０８としての機能を備える。また、センタ演算部３０２ｃが備えるＲＯＭには、店舗広告と、その店舗広告の広告主である店舗２０の位置に基づいて決定された、店舗広告を広告するエリアである店舗周辺エリアがあらかじめ記憶されている。ただし、それぞれの店舗２０に対応する店舗周辺エリアは重複しないように決定されているとする。
【００８３】
位置受信部３０７は、広域通信部３０１が受信する、車載機１００ｃが送信した自動車１０の位置を取得する。センタ広告送信部３０８は、位置受信部３０７が取得した自動車１０の位置が、センタ演算部３０２ｃが備えるＲＯＭに記憶された、店舗広告に対応する店舗周辺エリア内に位置するか否かに基づいて店舗広告を送信する。具体的には、自動車１０の位置がいずれかの店舗周辺エリア内に位置すると判断した場合、広域通信部３０１に、車載機１００ｃに対してその店舗周辺エリアに対応する店舗広告を送信させる。また、位置受信部３０７が取得した自動車１０の位置がどの店舗周辺エリア内にも位置していないと判断した場合、広域通信部３０１に、車載機１００ｃに対して、自動車１０の位置が店舗周辺エリアでない旨の信号を送信する。センタ演算部３０２ｃは、位置受信部３０７とセンタ広告送信部３０８としての作動によって、自動車１０が店舗周辺エリアに位置している場合に、車載機１００ｃに対して店舗周辺エリアに対応する店舗広告を送信し、広告部１０３に広告させる。従って、センタ演算部３０２ｃは、請求項の広告制御部としての機能を備える。
【００８４】
本実施形態における広告記憶部３０３ｃは、センタ広告送信部３０８が、車載機１００ｃに対して店舗広告を送信した旨を、広告実績としてセンタ演算部３０２ｃが備えるＲＯＭに記憶させる。
【００８５】
以上、説明した第４実施形態によれば、センタ広告送信部３０８が、車載機１００ｃが送信する自動車１０の位置において広告する店舗広告を、車載機１００ｃに送信して広告部１０３に表示させる。これにより、第２実施形態と同様に店舗広告の表示を随時更新し、自動車１０の位置と関連性の高い店舗広告を広告部１０３に表示させることが可能となる。
【００８６】
また、広告記憶部３０３ｃが、センタ広告送信部３０８が車載機１００ｃに対して店舗広告を送信し、広告部１０３に表示させた旨を広告実績として記憶している。これにより、手数料算出部３０４が、広告部１０３が広告したことによる広告手数料を算出することが可能となるため、第１実施形態と同様に、ユーザが自動車１０を利用する際の利用料金を安くすることが可能となる。
【００８７】
以上、本発明の実施形態を説明したが、本発明は上述の実施形態に限定されるものではなく、次の変形例も本発明の技術的範囲に含まれ、さらに、下記以外にも要旨を逸脱しない範囲内で種々変更して実施できる。
【００８８】
＜変形例１＞
実施形態において、優先順決定部１０６は、広告受信部１０４が受信した店舗広告の中で、もっとも優先順が高い店舗広告のみを広告部１０３に表示させるとしていた。しかし、表示させる店舗広告の決定方法はこれに限られない。例えば、優先順が高い店舗広告ほど広告部１０３に表示させる時間が長くなるように、表示させる店舗広告を周期的に変更することとしてもよい。また、優先度が高い順に店舗広告からいくつか選択し、ディスプレイ上に選択した店舗広告を同時に表示させるとしてもよい。
【００８９】
＜変形例２＞
上述した実施形態では、手数料算出部３０４が算出した広告手数料に基づいて、料金請求部３０６が請求する自動車１０の利用料金を割り引くことにより、ユーザが支払う利用料金を安くしている。しかし、利用料金を広告手数料に基づいて安くする方法は、広告手数料に基づいて直接利用料金を安くすることに限られず、広告手数料に基づいて利用料金を実質的に安くするとしてもよい。例えば、利用料金は変更せず、広告手数料をユーザが銀行４０に開設した口座に振り込むことによって、利用料金を実質的に安くしてもよい。あるいは、広告手数料に基づいて、ユーザに対して追加のサービスを提供することにより、自動車１０を利用することに対する利用料金を実質的に安くするとしてもよい。
【００９０】
＜変形例３＞
第３実施形態において、車載機１００ｂは加速度センサ１１２を備え、減速検知部１１３は加速度センサ１１２が検知する加速度に基づいて自動車１０が減速している旨を検知するとしていた。しかし、自動車１０が減速している旨を検知する方法はこれに限られない。例えば、自動車１０が備える車輪速センサが出力する車輪速を取得し、取得した車輪速に基づいて、自動車１０が減速している旨を検知するとしてもよい。
【００９１】
また、自動車１０の前後方向の加速度に基づいて減速している旨を検知し、減速している旨を報知するとしていた。しかし、減速している旨の検知および報知内容はこれに限られない。例えば、ブレーキペダルの操作量に基づいて、急なブレーキ操作が行われたことにより自動車１０が減速することを検知するとしてもよい。また、減速度が所定の値以上となった旨を検知した場合に、急なブレーキ操作が行われたとして急なブレーキ操作が行われた旨を報知するとしてもよい。
【００９２】
＜変形例４＞
実施形態において、広告システム１を用いる自動車１０は、カーシェアリングサービスで用いられる自動車としていたが、その他の車両貸し出しサービスで用いられる自動車としてもよい。例えば、レンタカーサービスで用いられる自動車１０で広告システム１を用いても良い。
【００９３】
＜変形例５＞
上述した実施形態では、センタ装置３００が備えるセンタ演算部３０２が、広告記憶部３０３と、手数料算出部３０４と、手数料請求部３０５と、料金請求部３０６としての機能を備えていた。しかし、これらの機能を実現する方法はこれに限られない。例えば、センタ演算部３０２に代えて、車載機制御部１０２が広告記憶部３０３としての機能を備えてもよい。また、手数料算出部３０４と、手数料請求部３０５と、料金請求部３０６としての処理は、他のシステム等が行ってもよい。
【００９４】
＜変形例６＞
上述した実施形態では、配信装置２００が配信する店舗広告に、あらかじめ店舗位置を含ませているとしていた。しかし、店舗広告を受信した時刻に位置取得部１０８が取得した位置を、店舗位置として広告内容記憶部１０５が記憶する店舗広告に含ませるともよい。これは、配信装置２００と車載機１００とが２０〜５０ｍの距離で通信可能であるため、店舗広告を受信した時刻に位置取得部１０８が取得した位置が店舗から２０〜５０ｍ程度の範囲であり、おおよその店舗位置として用いることが可能であることによる。
【００９５】
＜変形例７＞
第１実施形態では、優先順決定部１０６は、店舗位置が、自動車１０の位置に近いほど優先順が高くなるように優先順を決定していた。しかし、優先順の決定方法はこれに限られない。例えば、店舗広告に、店舗広告を表示することに対して店舗２０が支払う広告手数料の額が高い店舗広告ほど高い値となるよう決定した優先度を含ませて配信し、優先度が高い店舗広告ほど優先順が高くなるように優先順を決定してもよい。具体的には、店舗２０から広告の依頼を受ける際の広告手数料の額を２段階設定し、安い手数料で依頼を受けた場合の優先度は１、高い手数料で依頼を受けた場合の優先度は２と決定すればよい。この場合、広告部１０３が店舗広告を表示することによる広告料が高くなるように優先順が決定されるため、料金請求部３０６が利用料金から割り引く額を高くし、ユーザが自動車１０を利用する際の利用料金をより安くすることが可能となる。もちろん、これらを組み合わせて優先順の決定に用いてもよい。具体的には、優先度が高いほど優先順を高くし、優先度が同一である場合は店舗位置と自動車１０の位置との距離が短いほど優先順を高くすればよい。
【００９６】
＜変形例８＞
上述した実施形態では、車載機１００は、店舗２０で用いられる配信装置２００から受信した店舗広告を広告部１０３に表示するとしていた。しかし、車載機制御部１０２が備えるＲＯＭにあらかじめ店舗広告を記憶し、配信装置２００を用いることなく店舗広告を広告部１０３に表示するとしてもよい。この場合、広告実績は、車載機１００が車載機側広域通信部１１１のような基地局を介した広域通信回線に接続可能な無線通信装置を備えることにより、広域通信回線を介してセンタ装置３００に送信すればよい。
【００９７】
＜変形例９＞
上述した実施形態では、配信装置２００は店舗２０で用いられ、近距離無線通信によって車載機１００に店舗広告を配信するとしていた。しかし、配信装置２００および車載機１００を、基地局を介した広域通信回線に接続可能に構成し、基地局を介した広域通信回線を通じて店舗広告を配信するとしてもよい。
【００９８】
＜変形例１０＞
上述した実施形態では、手数料算出部３０４は広告実績が示す広告を行った時間に従って広告手数料を算出するとしていた。しかし、広告を行った回数を広告実績として記憶し、広告実績が示す広告を行った回数に従って広告手数料を算出するとしてもよい。
【符号の説明】
【００９９】
１：広告システム    １０：自動車    ２０：店舗    ４０：銀行    １００：車載機    １０１：車載機側通信部    １０２：車載機制御部    １０３：広告部    １０４：広告受信部    １０５：広告内容記憶部    １０６：優先順決定部    １０７：ＧＮＳＳ受信機    １０８：位置取得部    １０９：車載機側広告記憶部    １１０：広告通知部    １１１：車載機側広域通信部    １１２：加速度センサ    １１３：減速検知部    １１４：減速報知部  １１５：位置送信部    ２００：配信装置    ２０１：配信装置側通信部    ２０２：配信装置制御部    ２０３：広域送信部    ２０４：広告送信部    ２０５：送信完了通知部    ３００：センタ装置    ３０１：広域通信部    ３０２：センタ演算部    ３０３：広告記憶部    ３０４：手数料算出部    ３０５：手数料請求部    ３０６：料金請求部    ３０７：位置受信部    ３０８：センタ広告送信部
【図１】
2018036777.tif 000003
【図２】
2018036777.tif 000004
【図３】
2018036777.tif 000005
【図４】
2018036777.tif 000006
【図５】
2018036777.tif 000007
【図６】
2018036777.tif 000008
【図７】
2018036777.tif 000009
【図８】
2018036777.tif 000010
【図９】
2018036777.tif 000011
【図１０】
2018036777.tif 000012
【図１１】
2018036777.tif 000013
【図１２】
2018036777.tif 000014
【図１３】
2018036777.tif 000015
【図１４】
2018036777.tif 000016
【図１５】
2018036777.tif 000017